(57)【要約】【課題】  データストリーミング及びリアルタイムサービス用の短距離無線ターミナル、システム及び方法を提供する。【解決手段】  ローカルサービスプラットホームが１つ以上のＡＰに接続され、ヘッドセット／ターミナル（ＨＳ）にリアルタイムサービスを提供する。サーバーとアプリケーションとの間にストリーミングインターフェイスが設けられる。ＨＳは、標準リンク制御プロトコルのもとで、アクチベートされ、ホスト装置、通常、電話と対にされる。ＨＳは、特別なボタンを含み、これを操作すると、ホストがＨＳを「アイドル」モードに入れる。このモード中に、ＨＳは、ＡＰの問合せを聴取し又は問合せを実行する。ＡＰビーコンが検出されると、ＨＳは、対にされた電話からＨＯＬＤ状態を要求し、ＡＰビーコンへの接続後にストリーミングデータを受信する。【選択図】          図１
2004320730.tif 000002
【特許請求の範囲】
【請求項１】
ストリーミングデータを受信するための短距離ワイヤレス通信ターミナルにおいて、
ａ）短距離無線通信パケット構造及びリンクコントローラ状態を使用して上記ターミナルが他のターミナル及びアクセスポイントと対話できるようにする短距離無線通信プロトコルスタックと、
ｂ）上記ターミナルを「アイドル」状態にスイッチングして、ストリーミングデータソースからのストリーミングデータを受信するための接続を可能にしながら、対となる装置への非アクティブな接続を維持するスイッチング手段と、
ｃ）上記ストリーミングデータソースに接続されてそこからストリーミングデータを受信しながら、上記対となる装置への非アクティブな接続を維持する通信装置と、
を備えた短距離ワイヤレス通信ターミナル。
【請求項２】
ｄ）上記対となる装置からアクチベーション要求を受信した後にストリーミングデータを受信する上記接続を終了させる終了装置を更に備えた請求項１に記載のターミナル。
【請求項３】
ｅ）ストリーミングデータを送信するアクセスポイントへ上記ターミナルを自動的に接続するために上記短距離プロトコルに記憶されたプロフィールを更に備えた請求項１に記載のターミナル。
【請求項４】
上記スイッチング手段の動作は、データストリームチャンネル間で上記ターミナルをスイッチングする請求項１に記載のターミナル。
【請求項５】
上記スイッチング手段の動作は、ストリーミングデータを受信するための接続を終了させる上記終了装置をアクチベートする請求項１に記載のターミナル。
【請求項６】
短距離ワイヤレス通信ターミナルがストリーミングオーディオデータを受信できるようにするシステムにおいて、
ａ）短距離無線通信パケット構造及びリンクコントローラ状態を使用して上記ターミナルが他のターミナル及びアクセスポイントと対話できるようにする短距離無線通信プロトコルスタックと、
ｂ）上記アクセスポイントにリンクされたローカルサーバーシステムと、
ｃ）ストリーミングボイスインターフェイスを経て上記サーバーにリンクされたアプリケーションサブシステムと、
ｄ）上記ターミナルを、対となる装置へ接続した後に「アイドル」状態へとスイッチングするためのスイッチング装置と、
ｅ）アクティブ状態において上記ターミナルへストリーミングオーディオを配送し、そしてストリーミングオーディオを送信するアクセスポイントビーコンにリンクされた送信装置と、
ｆ）上記ターミナルから終了要求が受信されたときに上記ターミナルへのストリーミングオーディオを終了する終了装置と、
を備えたシステム。
【請求項７】
ｇ）以前にロードされたストリームコンテンツをローカルサーバーに記憶し、その後、アクセスポイントを経てアクティブなクライアントにそのコンテンツを配送する手段を更に備え、上記アクセスポイントは、それらのアドレスによって識別され、そしてストリームデータベースコンテンツは、同じアクセスポイントを有し、これにより、適切なコンテンツが適切なアクセスポイントに配送されるよう確保する請求項６に記載のシステム。
【請求項８】
ｈ）上記ローカルサーバーシステムと、アクセスポイントにストリーミングデータを供給するアプリケーションサブシステムとの間にインストールされたストリーミングインターフェイスを更に備え、上記アクセスポイントに接続されたアクティブなターミナルがある場合には、同期接続指向のリンクを経てストリームがそこに配送される請求項６に記載のシステム。
【請求項９】
ｉ）上記ターミナルが電話コールを受信したときに上記ターミナルへのストリーミングオーディオを終了させる装置を更に備えた請求項６に記載のシステム。
【請求項１０】
ｊ）ストリーミングオーディオを供給するアクセスポイントのチャンネルの中から選択を行う装置を更に備えた請求項６に記載のシステム。
【請求項１１】
ブルーツースターミナルへストリーミングオーディオを送信する方法であって、
ａ）ブルーツースプロトコルスタックを含むブルーツースターミナルを、アクティブ状態にある別のターミナルと対にし、
ｂ）上記ターミナルを「アイドル」状態にスイッチングし、
ｃ）上記ターミナルによるアクセスポイント問合せを聴取し、
ｄ）アクセスポイントによりストリーミングオーディオを送信する同期接続指向のビーコンを検出し、
ｅ）別のターミナルからＨＯＬＤを要求し、そして
ｆ）上記ブルーツースターミナルをアクセスポイントビーコンに接続して、ストリーミングオーディオを受信する、
という段階を備えた方法。
【請求項１２】
ｇ）アクティブな装置から上記ブルーツースターミナルによりコールを受信し、
ｈ）上記アクティブな装置から新たなＨＯＬＤを要求し、
ｉ）上記ブルーツースターミナルへのストリーミングオーディオを終了させ、
ｊ）上記ＨＯＬＤをキャンセルして、上記アクティブな装置から上記ブルーツースターミナルへのコールをアクチベートし、
ｋ）上記アクティブな装置から上記ブルーツースターミナルへのコールを終了させ、そして
ｌ）上記段階ａ）へ戻る、
という段階を更に備えた請求項１１に記載の方法。
【請求項１３】
ｍ）上記アクセスポイントにより与えられるデータストリームチャンネルの中で上記ブルーツースターミナルをスイッチングする段階を更に備えた請求項１１に記載の方法。
【請求項１４】
ｎ）別のターミナルと対にされた状態において上記ブルーツースターミナルへ再送信するために上記別のターミナルへストリーミングオーディオを送信する段階を更に備えた請求項１１に記載の方法。
【請求項１５】
ストリーミングデータを受信するための短距離ワイヤレスヘッドセット装置において、
ａ）短距離無線通信パケット構造及びリンクコントローラ状態を使用して上記ヘッドセット装置が他のターミナル及びアクセスポイントと対話できるようにする短距離無線通信プロトコルスタックと、
ｂ）上記ヘッドセット装置を「アイドル」状態にスイッチングして、ストリーミングデータソースからのストリーミングデータを受信するための接続を可能にするスイッチング手段と、
ｃ）上記ストリーミングデータソースに接続されてそこからストリーミングデータを受信する通信装置と、
を備えた短距離ワイヤレスヘッドセット装置。
【請求項１６】
ストリーミングデータを受信するためのブルーツースヘッドセット／ターミナルシステムにおいて、
ａ）ブルーツースリンクを経てヘッドセット装置へ接続されたアンテナと、
ｂ）上記アンテナに接続された短距離トランシーバであって、ブルーツース通信パケット構造及びリンクコントローラ状態を経てターミナルが他のターミナル及びアクセスポイントと対話できるようにするブルーツースプロトコルスタックを使用する短距離トランシーバと、
ｃ）ネットワーク通信のために上記アンテナに接続されたネットワークトランシーバと、
ｄ）上記短距離トランシーバ及びネットワークトランシーバに接続されたプロセッサであって、メモリに記憶されたソフトウェアプログラムを実行し、ターミナルとヘッドセットとの間のブルーツースリンクを受動的即ち非アクティブ状態に入れて、ヘッドセットを発見可能及び接続可能にするプロセッサと、
ｅ）ユーザ入力信号に対して上記プロセッサに接続され、上記ターミナルとヘッドセットとの間の上記ブルーツースリンクをアクチベートするＩ／Ｏシステムと、
を備えたブルーツースヘッドセット／ターミナルシステム。
【請求項１７】
ｆ）上記ネットワークトランシーバを経て電話コールを受信した場合に上記ブルーツース接続をアクチベートするためのスイッチング手段と、
ｇ）上記ヘッドセット装置の受信ＳＣＯチャンネルをスイッチングする手段と、
を更に備えた請求項１６に記載のシステム。
【請求項１８】
ストリーミングデータを受信するためのヘッドセット装置において、
ａ）ターミナルと、ストリーミングデータを供給するアクセスポイントとにリンクされたアンテナ手段と、
ｂ）上記アンテナを経て上記ターミナル及びアクセスポイントに接続された短距離無線システムであって、ブルーツースパケット構造及びリンクコントローラ状態を使用して上記無線システムがターミナル及びアクセスポイントと対話できるようにするブルーツースプロトコルスタックを使用するような無線システムと、
ｃ）上記無線システムを経て上記アクセスポイントと対話し、ストリーミングデータを処理及びバッファするためのＩ／Ｏシステムと、
ｄ）上記無線システム及びＩ／Ｏシステムを制御しそしてそれらと対話するプロセッサであって、記憶されたソフトウェアプログラムを実行して、上記ヘッドセットを、それと対をなす装置との受動的即ち非アクティブ状態に入れながら、ストリーミングデータを受信し、そしてヘッドセットを発見可能及び接続可能であるようにするプロセッサと、
ｅ）上記プロセッサを経て上記Ｉ／Ｏシステムにリンクされそしてマイクロホンに応答するオーディオ処理システムであって、上記ストリーミングデータを、上記プロセッサによって処理された後に出力としてスピーカへ供給するようなオーディオ処理システムと、
を備えたヘッドセット装置。
【請求項１９】
ｆ）上記Ｉ／Ｏシステムに設けられていて、上記ヘッドセットを、それと対をなす装置との受動的即ち非アクティブ状態に入れるように動作できるスイッチング手段を更に備えた請求項１８に記載のヘッドセット。
【請求項２０】
上記ヘッドセットは、位置認識コンタクト配送に加えて個人的コンタクト配送のためにデータベースから適当なストリーミングデータを選択するのに使用されるＩＤを有する請求項１８に記載のヘッドセット。
【請求項２１】
ｇ）アクセスポイントへの接続を形成又は終了するためのモードに上記ヘッドセットを自動的にセットし及び／又はアクセスポイントの異なるコンテンツチャンネル間でヘッドセットをスイッチングするための同期接続指向プロフィールを更に備えた請求項１８に記載のヘッドセット。
【請求項２２】
ｈ）データパケット間で上記ヘッドセットを、それと対にされた装置と通信できるようにする手段を更に備えた請求項１８に記載のヘッドセット。
【請求項２３】
ｉ）対にされたヘッドセットを「ビーコン聴取モード」にセットし及び／又はそのヘッドセットをアクセスポイントからの使用可能なコンテンツチャンネル間でスイッチングするためのユーザインターフェイスを含むホスト装置を更に備えた請求項１８に記載のヘッドセット。
【請求項２４】
上記ホスト装置は、マスター装置として働いて、使用可能なＡＰチャンネルのリストを与えると共に、ヘッドセットユーザが適当なＡＰコンテンツチャンネルをグラフィックで選択できるようにする請求項２３に記載のヘッドセット。
【請求項２５】
上記ホスト装置は、アクセスポイントとコンタクトを確立し、そしてアクセスポイントコンテンツを、対となるハンドセットへ配送する請求項２３に記載のヘッドセット。
【請求項２６】
上記ホスト装置は、ターミナルとアクセスポイントとのインターフェイスとして働く請求項２３に記載のヘッドセット。
【発明の詳細な説明】
【技術分野】
【０００１】
本発明は、通信装置、システム及び方法に係る。より詳細には、本発明は、データストリーミング及びリアルタイムサービス用の短距離（ショートレンジ）無線ターミナル、システム及び方法に係る。
【背景技術】
【０００２】
短距離通信技術、典型的に、ブルーツースは、６４キロバイト／秒（ＫＰＳ）チャンネルをアクティブなクライアントに配送することのできる同期接続指向（ＳＣＯ）のリンクを提供する。データストリームは、いかなるコンテンツも含むが、一般的には、ボイスより成る。データストリームは、ヘッドセット又はハンズフリープロフィールを使用するブルーツースヘッドセットに供給することができる。ブルーツースアクセスポイント（ＡＰ）は、ブルーツースボイスビーコンとして働き、即ちボイスは、ＡＰから、アクティブなターミナルとしてのヘッドセットへストリーミングする。又、アクセスポイントは、リアルタイムの位置認識又は聴取サービスをヘッドセットに提供することもできる。しかしながら、ヘッドセットは、ボイスストリーミング又は聴取サービスをヘッドセットに提供する前に、ホスト装置、例えば、電話と対にしなければならない。或いは又、ヘッドセットは、ＡＰと対にすることができ、そしていついかなる装置とも動的に対にすることができる。対にするとは、２つの装置が共通のリンクキーを有することを意味する。たとえ装置Ａ及びＢが対にされても、装置Ａを装置Ｃ等と対にすることもできる。この状態の間に、既に対にされてホストとアクティブな接続状態にあるヘッドセットは、ブルーツースビーコンボイスストリームも位置認識聴取サービスも受けることができない。
【０００３】
ヘッドセットがホスト装置と対にされている間にもストリーミングボイス又は聴取サービスを受けるように短距離ターミナルヘッドセットの機能を拡張することが望まれる。そのようにすることにより、ヘッドセットユーザは、種々様々な新規なサービスを受けて、ユーティリティを向上させると共にヘッドセットに関心をもつことができる。
ストリーミングデータ又は聴取サービスを受ける短距離ターミナルヘッドセットに関連した公知技術は、次のものを含む。
【０００４】
１．２００１年２月１３日公告の「Wireless Headset Capable of Automatic Link Connection and Method for Controlling the Same」と題するＵＳＰＡ２００２／０１１１１４０号は、マイクロホンがインストールされ、ワイヤレスヘッドセットの主本体へと前進させ又はそこから後退させることのできるマイクロホン支持部材と、該マイクロホン支持部材のコネクタに接続された感知装置とを備えたワイヤレスヘッドセットを開示している。感知装置は、マイクロホン支持部材が折り曲げられたか又は広げられたかを感知する。マイクロホン支持部材が広げられた場合には、相手ターミナルのワイヤレスヘッドセットのＩＤ（識別）を登録しそしてブルーツースＴＭワイヤレス通信リンクをワイヤレスヘッドセットと相手ターミナルとの間に接続する試みが、ブルーツースＴＭモジュールを使用して実行される。
【０００５】
２．２００２年６月２７日公告の「Method and Apparatus For Selecting Source Device And Content Delivery Via Wireless」と題するＵＳＰＡ２００２／００６８６１０号は、ユーザインターフェイス装置と、ワイヤレストランシーバと、スイッチングモジュールとを備えたヘッドセット又は他の双方向装置であって、ワイヤレストランシーバがユーザインターフェイス装置と複数のソース装置との間のコンテンツの搬送に使用され、そしてスイッチングモジュールがユーザインターフェイス装置及びワイヤレストランシーバに接続されてそれらの間に介在され、更に、ユーザインターフェイスにワイヤレス接続するための指定のソース装置を選択するのに使用されるようなものを開示している。
【０００６】
３．２００２年６月２７日公告の「System and Method for Utilizing Mobile Communication Terminal as Wireless Headset」と題するＵＳＰＡ２００２／００８２０５７号は、ワイヤレスヘッドセットとしての移動通信ターミナルであって、インターネットネットワークを経てインターネット電話サービスにアクセスするためのパーソナルコンピュータ（ＰＣ）と、該ＰＣがインターネット電話サービスにアクセスするときにＰＣのワイヤレスヘッドセットの機能を遂行するための移動通信ターミナルとを備え、該移動通信ターミナルがブルーツース機能を有するようなものを開示している。ブルーツース内蔵機能は、ユーザがインターネット電話コールサービスを利用できるようにする。移動通信ターミナルの動作モードがヘッドセットモードをセットすべきときには、マイクロホンを経て入力されたユーザのスピーチ信号がブルーツース装置を経てＰＣに直接送信され、そしてＰＣから移動通信ターミナルへ入力される相手のスピーチ信号がブルーツース装置を経てスピーカへ供給される。
【０００７】
４．２００１年１２月２５日付の「Subscription-Based Mobile Station Idle Mode Cell Selection」と題するＵＳＰ６，３３４，０５２Ｂ１号は、移動ステーションのアイドルモード動作を制御するのに使用される移動テレコミュニケーションシステムにおける契約ベース情報を開示している。１つの態様において、セル関連情報がセルから放送される。次いで、移動ステーションは、受信したセル関連情報を使用して、所与のセルが、他の加入者を除き、ある加入者のみが使用するように指定された所定のサービスエリアの一部分であるかどうか決定する。セル関連情報は、対応するセルを独特に識別するセル識別子であってもよいし、又は１つ以上のセルを含むサービスを独特に識別するサービスエリア識別子であってもよい。いずれの場合にも、移動ターミナルは、加入者情報モジュール（ＳＩＭ）のようなメモリにアクセスし、そして所定のサービスエリアを定義する記憶された情報をそこから検索することによりその決定を行う。別の態様において、ＳＩＭは、移動ステーションがアイドルモード中にキャンプオンするための好ましいセルを識別する情報を記憶してもよい。
【０００８】
５．２０００年１０月２４日付の「System and Method For Authorization Of Location Services」と題するＵＳＰ６，１３８，００３号は、移動ターミナルをセルラーネットワーク内に位置付けるためのロケーションサービスを許す前に許可チェックを遂行するテレコミュニケーションシステム及び方法を開示している。種々のチェックは、要求を発しているエージェントが移動ターミナルの位置付けを要求する許可を有するよう確保し、移動ターミナルの位置付けが、移動ターミナルが現在位置しているセルラーネットワーク内で許されるかどうか決定し、移動ポジショニングセンターの認識の認証を照合し、移動ターミナルを位置付けるための要求を発しているエージェントが移動加入者に許されたものであるかどうか確かめ、そして移動加入者及び要求を発しているエージェントの両方が全ての当該位置付け基準を満たすのを確認することを含む。
【０００９】
６．１９７９年７月３１日付の「Electronic Tour Guide System」と題するＵＳＰ４，１６３，１２３号は、美術館等の出展物に関するメッセージを、ポータブル受信器を携帯する訪問者に提供するものである。種々のメッセージを発生するオーディオソースが中央位置に設けられ、それらメッセージは、マルチプレクスされ、デジタル化され、そしてカバレージエリアへ延びる１本以上のケーブルへ送信される。ケーブルに沿って受信器−送信器が配置され、これは、メッセージの１つをデコードして、赤外線エネルギーにより、出展物付近の良好に定義されたエリアへ送信し、受信器を持った訪問者がその赤外線放射信号情報を受信してメッセージを聞けるようにする。
【発明の開示】
【発明が解決しようとする課題】
【００１０】
公知技術の中で、ホスト装置、通常、電話と対にされた状態にある間に、その対にされた装置が受動的な状態である「アイドル状態」、通常、ＨＯＬＤ状態にターミナルをスイッチングすることにより、ボイスビーコン、通常、アクセスポイント（ＡＰ）からストリーミングボイス又は聴取サービスを受け、そしてホスト装置がアクティブとなったときにストリーミングボイスから切断するように構成された短距離ターミナル、通常、ヘッドセットを開示又は示唆するものは皆無である。
【課題を解決するための手段】
【００１１】
（電話と対にされるか又は別の装置と通信していて）アクティブな状態にあるブルーツースターミナル、通常、ヘッドセット（ＨＳ）のような短距離無線ターミナルは、「アイドルモード」にセットされ、ストリーミングデータソース（例えば、ブルーツースボイスビーコンとして働くアクセスポイント（ＡＰ））からストリーミングデータを受信する。ローカルサーバーサブシステムは、１つ以上のＡＰと、ローカルサービスプラットホームを含むアプリケーションサブシステムとに接続される。ローカルサーバーサブシステムとアプリケーションサブシステムとの間にストリーミングインターフェイスがインストールされる。ストリーミングコンテンツ（即ちボイス）は、ローカルサーバーにスタティックに記憶され又はＡＰにも記憶される。ＨＳは、標準的なリンク制御プロトコルのもとでホスト装置、通常、電話と対にされるが、ＨＳは、完全に独立して動作することもでき、ホスト装置と対にされる必要はない。ストリームは、ＡＰボイスビーコンから同期接続指向（ＳＣＯ）のリンクを経てＨＳへ供給される。ＨＳは、操作時にこのＨＳを「アイドル」モードに入れる特別なスイッチを含む。「アイドル」モード中に、ＨＳは、ＡＰ問合せを聴取するか、又は問合せを実行する。ＳＣＯビーコンが検出されると、ＨＳは、対にされた電話からＨＯＬＤ状態を要求し、ＡＰビーコンへの接続を完成した後にストリーミングボイスを受信する。接続状態の間に、ＨＳは、特別な又は「アイドル」スイッチを操作することにより、ＡＰから使用できるストリーミングボイスチャンネルの間でスイッチングを行う。或いは又、ＨＳは、電話を伴わずに動作することもできる。ＨＳが、ストリーミングボイスを受信している間に入呼びを受信すると、ＨＳは、ストリーミングボイスを終了するために新たなＨＯＬＤ周期を要求する。その後、ＨＯＬＤが終了され、コールがアクチベートされる。コールが終了されると、「アイドル」スイッチを操作することにより新たなＨＯＬＤ要求がなされ、そしてＨＳは、ストリーミングボイスからのＡＰ問合せを聴取する。ローカルサービスプラットホームが装備された位置からＨＳにリアルタイムサービスが得られる。プラットホームは、情報即ちニュース又は他のコンテンツを受信して、プラットホーム付近のアクティブなＨＳへ再送信するか、又はプラットホームに記憶された情報がＨＳへ放送される。ＡＰ及びＨＳが接続を確立すると、ＡＰは、プラットホームへイベントメッセージを送信することもできる。このメッセージは、ＨＳへストリームを送信するように処理されてもよいし、又はこのメッセージは、プラットホームに含まれるか又は接続されたアプリケーションサブシステムへ再送信されてもよい。
【００１２】
本発明の１つの特徴は、操作時に、対となるホスト装置に接続されながら、ヘッドセットを「アイドル」状態へスイッチするスイッチング装置を含むターミナル／ヘッドセットにある。
別の特徴は、データベースから適当なストリーミングデータを選択するのに使用されるターミナルＩＤを有し、位置認識コンタクト配送に加えて個人的コンタクト配送を可能にするターミナル／ヘッドセットである。
【００１３】
別の特徴は、ＡＰへの接続を形成又は終了するモードにターミナル／ヘッドセットをセットし及び／又はＡＰの異なるコンテンツチャンネル間でターミナル／ヘッドセットをスイッチングするためのスイッチング手段を含むターミナル／ヘッドセットにある。
別の特徴は、ターミナルとは独立して動作でき、そしてホスト装置と対にされた後に、アイドルモード中にアクセスポイントからストリーミングデータを受信することのできるヘッドセットにある。
【００１４】
別の特徴は、ＡＰへの接続を形成又は終了するモードにヘッドセットを自動的にセットし及び／又はＡＰの異なるコンテンツチャンネル間でヘッドセットをスイッチングするためのヘッドセット用の同期接続指向のプロフィールにある。
別の特徴は、アイドルモードにおいてホスト装置と対にされている間にストリーミングデータを受信し、そしてデータパケット間にホスト装置と通信することができるヘッドセットにある。
【００１５】
別の特徴は、対にされたＨＳを「ビーコン聴取モード」にセットし及び／又はＨＳをＡＰから得られるコンテンツチャンネル間にスイッチングするためのユーザインターフェイスを含むホスト装置にある。
別の特徴は、使用可能なＡＰチャンネルのリストを含み、そしてヘッドセットユーザが適切なＡＰコンテンツチャンネルをグラフィックで選択できるようにするマスター装置としてのホスト装置にある。
別の特徴は、ＡＰとのコンタクトを確立し、そしてＡＰコンテンツを、対となるヘッドセットに配送するホスト装置にある。
【００１６】
別の特徴は、ローカルサービスサブシステムと、アクセスポイントにストリーミングデータを供給するアプリケーションサブシステムとの間にストリーミングインターフェイスを追加し、そしてアクセスポイントに接続されたアクティブなターミナルがある場合に、ＳＣＯリンクを経てそこにストリームが配送されることである。
別の特徴は、以前にロードされたストリームコンテンツをローカルサーバーに記憶し、そしてその後に、アクセスポイントを経てアクティブなクライアントにコンテンツを配送し、アクセスポイントは、それらのアドレスにより識別され、そしてストリームデータベースコンテンツは、同じアクセスポイントを有し、これにより、適切なコンテンツが適切なアクセスポイントに配送されるよう確保する。
【発明を実施するための最良の形態】
【００１７】
本発明は、添付図面を参照した好ましい実施形態の以下の詳細な説明から更に理解されよう。
好ましい実施形態を説明する前に、短距離（ショートレンジ）ワイヤレスシステムについて簡単に説明するのが適当であると考えられる。
短距離ワイヤレスシステムは、その典型的な範囲が１００ｍ以内である。これらシステムは、インターネットに配線されたシステムとしばしば結合されて、長距離通信を提供する。短距離ワイヤレスシステムの分類は、ワイヤレスパーソナルエリアネットワーク（ＰＡＮ）及びワイヤレスローカルエリアネットワーク（ＬＡＮ）を含む。それらは、無線スペクトルの非認可部分、通常、２．４ＧＨｚの工業、科学及び医療（ＩＳＭ）帯域、又は５ＧＨｚの非認可−国内情報インフラストラクチャー（Ｕ−ＮＩＩ）帯域で動作する一般的特徴を有する。ワイヤレスパーソナルエリアネットワークは、典型的な範囲が１０ｍの低コスト、低電力ワイヤレス装置を使用する。ワイヤレスパーソナルエリアネットワーク技術の最も良く知られた例は、２．４ＧＨｚのＩＳＭ帯域で動作するブルーツース規格である。これは、１Ｍｂｐｓのピークエアリンクスピードと、ＰＤＡや移動電話のようなパーソナル、ポータブル電子装置に使用するに充分なほど低い消費電力とを与える。「ブルーツース・スペシャル・インタレスト・グループ”Specification of The Bluetooth System”、第１．０Ｂ版、第１及び２巻、１９９９年１２月」は、ブルーツース装置の動作及び通信の原理を規定している。好ましい実施形態は、ブルーツース規格について説明する。
【００１８】
簡単に述べると、ブルーツース装置は、それらの１０ｍ無線通信範囲内で他のブルーツース装置を見出すと共に、それらがどんなサービスを提供するか、サービス発見プロトコル（ＳＤＰ）を使用して発見するように構成される。ＳＤＰサーチ機能は、クライアントの役割をする要求側ブルーツース装置と、サーバーの役割をする応答側ブルーツース装置との間に確立されるリンクに依存する。リンクが確立されると、それを使用して、応答側ブルーツース装置におけるサービスと、それらにいかに接続するかを見出すことができる。
【００１９】
２つのブルーツース装置間の接続は、その付近の他の装置をサーチする問合せメッセージを送信する問合せ側装置によって開始される。問合せ走査を行うことにより聴取している他のブルーツース装置は、問合せメッセージ及び応答を確認する。問合せ応答は、応答側装置のブルーツース装置アドレス（ＢＤ＿ＡＤＤＲ）を含むメッセージパケットである。ブルーツース装置アドレスは、各ブルーツース装置に電子的に彫り込まれる独特の４８ビットＩＥＥＥアドレスである。
【００２０】
問合せ側装置は、問合せ応答パケットに設けられた情報を使用して、ページングメッセージを準備し、それを応答側装置へ送信する。接続を確立するために、問合せ側装置はページ状態に入らねばならない。ページ状態では、問合せ側装置は、問合せ応答パケットから得られたアクセスコード及びタイミング情報を使用して、応答側装置へ初期ページングメッセージを送信する。応答側装置は、それに問合せ側装置を接続するのを許すには、ページ走査状態になければならない。ページ走査状態に入ると、応答側装置は、初期ページングメッセージを確認し、そして問合せ側装置は、問合せ側装置のクロックタイミング及びアクセスコードを与えるページングパケットを応答側装置へ送信する。応答側装置は、ページ確認パケットで応答する。これは、２つの装置が接続を形成し、そして両装置が接続状態へ移行できるようにする。接続を開始した問合せ側装置は、マスター装置の役割を果たし、そして応答側装置は、新規な特別のネットワークであるピコネットにおいてスレーブ装置の役割を果たす。
【００２１】
各ピコネットは、１つのマスター装置と、７つまでのアクティブなスレーブ装置とを有する。全ての通信は、マスター装置と各スレーブ装置との間に向けられる。マスターは、データの交換を開始し、そしてスレーブは、マスターに応答する。２つのスレーブ装置が互いに通信すべきときには、マスター装置を通して行なわねばならない。マスター装置は、ピコネットのネットワーククロックを維持し、そして各スレーブ装置がマスター装置と通信できるときを制御する。特別なネットワークであるピコネットのメンバーは、マスター装置の範囲に入ったり出たりするときに参加したり退出したりする。
【００２２】
しかしながら、２．４ＧＨｚのＩＳＭ帯域又は５ＧＨｚのＵ−ＮＩＩ用に設計された短距離ネットワークの他の例は、本発明の原理を組み込みことができ、次のものを含む。即ち、（１）ＩＥＥＥ８０２．１１ワイヤレス規格に記載されたＩＥＥＥ８０２．１１（ａ）及び（ｂ）であって、３つの部分ＩＥＥＥ８０２．１１；８０２．１１（ａ）及び８０２．１１（ｂ）に記載されたもの；（２）出版物ＨＩＰＥＲＬＡＮタイプ１規格、ＥＴＳＩ  ＥＴＳ３００６５２、ＷＡ２１９９７年１２月に記載されたＨＩＰＥＲＬＡＮタイプ１；（３）ＨＩＰＥＲＬＡＮタイプ２データリンクコントロール（ＤＬＣ）層；パート４．ホーム環境の拡張、ＥＴＳＩ  ＴＳ１０１  ７６１−４  ＶＩ．２．１（２０００−１２）；（４）ＩＥＥＥ８０２．１５ワイヤレスパーソナルエリアネットワーク（ＷＰＡＮ）規格；（５）赤外線データ関連規格（ＩｒＤＡ）；（６）共用ワイヤレスアクセスプロトコル（ＳＷＡＰ）規格；（７）日本の第３世代ワイヤレス規格；及び（８）ジャパニーズ・アソシエーション・オブ・ラジオインダストリー・アンド・ビジネスのマルチメディア移動アクセス通信（ＭＭＡＣ）システム規格。
【００２３】
図１を参照すれば、位置認識(location aware)サービスシステム１００は、アクセスポイント１０６1、１０６2、・・・１０６n及びエアリンク１０５を経て移動ターミナル１０２へ聴取サービスを提供する。アクセスポイントは、ローカルサーバー１０８を含むローカルサービスプラットホーム１０６に接続される。サーバー１０６にはアプリケーションサブシステム１１０が接続される。ターミナル１０２に聴取サービスを提供するシステム１００の詳細は、参考としてここに取り上げる本発明の譲受人に譲渡された別の特許出願に開示されている。しかしながら、ターミナル１０２にストリーミングデータを供給するためには、サーバー１０８とアプリケーションサブシステム１１０との間に「ストリーミングデータ」インターフェイス（図示せず）を追加する変更が必要とされる。ストリーミングデータインターフェイスは、フォーカル・プレス、ウオブーン、マスにより出版されたジョン・ワトキンソン著の論文「The MPEG Handbook」（ＩＳＢＮ０２４０５１６５６７）、ページ３５−３８に掲載されている。このインターフェイスは、プラットホーム及びアクセスポイントを経てターミナル１０２へデジタルデータを、パケット化データの定常及び連続ストリームとして転送する。多数のストリーミング技術を利用することができる。ストリーミングは、ＴＣＰ／ＵＤＰ／ＩＰをベースとすることができる。ローカルサーバー１０８は、２つ以上のインターフェイスを備えることができる。各ストリームは、全てのＡＰに向けられるか、又は１組の以前に定義されたＡＰに向けられる。ストリームの形式は、映像又はＩＰ、ＰＣＭによるデジタルサウンド、ローカルサーバーにおいてデジタル化されたカタログボイスである。サーバーは、ヘッドセット、ハンズフリー、インターコム又はＰＡＮを含む種々のプロフィールを経てターミナル（１つ又は複数）へストリーミングデータを送信する。ストリームは、同期接続指向（ＳＣＯ）のリンクによって配送される。リアルタイムストリーム又は以前に記憶されたコンテンツ／ストリームのいずれかを特定のターミナルに直接転送することができ、ひいては、個人的なコンテンツを可能にすることができる。ＡＰは、ＡＰ内にインストールされた短距離通信モジュールの各々と共に７つの異なるストリームチャンネルをオファーすることができる。これらのチャンネルがプライベートなコンテンツを含まない場合には、ターミナルがチャンネル間でスイッチングを行うことができる。しかしながら、ターミナルは、関心のあるＡＰが送信するストリーミングデータをサーチ及び発見し、そしてホスト装置、通常、移動電話と対にされる間に、その対にされたターミナルによりコールが受信されるまで、そのＡＰに接続するようにされる。
【００２４】
図２は、上述したブルーツースサーチ及び発見特徴を有するヘッドセット／ターミナル２００として移動ターミナル１０２（図１）を変更したものを示し、ここでは、移動ターミナル２０１及びヘッドセット２２０を一緒に動作することもできるし、又はヘッドセットをターミナルとは独立して動作することもできる。ホスト装置と対にされる間にストリーミングデータをサーチし、発見し、ＡＰへ接続し、そしてそのストリーミングデータのチャンネルを選択することのできるヘッドセット／ターミナル２００として変更されたターミナル１０２へストリーミングデータとして聴取サービスを提供するシステム１００の実施形態を説明する前に、ヘッドセット／ターミナル２００を説明するのが適当であると考えられる。
【００２５】
対にされた状態において、ホスト装置（移動ターミナル２０１）及びヘッドセットターミナル２２０は、ホスト装置がマスター装置でそしてヘッドセットターミナル２２０がスレーブ装置である場合にリンクキーネゴシエーション及び認証の後に共通のリンクキーに基づくリンクを共用する。対をなすことに関する更なる詳細は、２００２年、０７４５８ニュージャージー州、アッパー・サドル・リバーのプレンティス・ホールＰＴＲにより出版されたＪ．ブレイ氏等著の論文「Bluetooth Connect Without Cables」、第２版、第２８２−２８６ページに掲載されている。
【００２６】
図２において、ターミナル２０１は、ユーザに着用又は携帯され、そしてアンテナ２０２を備え、これは、エアリンク２４０を経てＡＰのような他の装置２２１へリンクされる。アンテナ２０２のモジュールは、短距離トランシーバ２０４に接続され、これは、例えば、ＡＰ又は他の装置にインターフェイスされて、全ての種類の短距離無線通信を発見し、接続しそして受信する。ネットワークトランシーバ２０６も、アンテナ２０２のモジュールに接続され、１００ｍ以上の距離にあるベースステーション及び他の移動装置とインターフェイスする。ターミナル２０１は、移動ターミナルを機能的に表わしたものであることに注意されたい。実際には、２つの別々のアンテナモジュールがあり、その一方は、短距離通信に専用とされ、そして他方は、ネットワーク通信に専用とされる。プロセッサ２０８は、トランシーバ２０４及び２０６とインターフェイスし、他のターミナル及びアクセスポイントとのネットワーク及び短距離通信プロトコルを実行する。ネットワーク及び短距離通信プロトコルスタックは、オペレーティングシステムと共に、メモリ２１０、通常、ＲＯＭ、又は記憶装置２１２、通常、ＲＡＭに記憶される。ヘッドセット／ターミナル２００のオペレーションをブルーツースプロトコルについて説明するが、上述した他の短距離通信システムに対するプロトコルに置き換えることもできる。ブルーツースネットワークプロトコルは、上述した論文「Bluetooth Connect Without Cables」、第５−６ページに記載されている。短距離通信プロフィールは、ヘッドセット又はハンズフリープロフィールでよい。ヘッドセットプロフィール３００が図３に示されている。簡単に述べると、ヘッドセットプロフィールは、オーディオゲートウェイ、例えば、マスター装置／アクセスポイントを含み、そのオーディオポートエミュレーション層３０１は、オーディオポートをエミュレートし、そしてヘッドセットのオーディオポートドライバアプリケーション層３０２と対話する。ヘッドセットコントロール層３０３及び３０４は、ＳＤＰ／ＲＦＣＯＭＭ層３０５及び３０６を使用してブルーツース接続を設定する際に対話する。Ｌ２ＣＡＰ層３０７及び３０８は、ゲートウェイとヘッドセットとの間の通信を実施するために対話する。ホストコントローラインターフェイスモジュール３０９及び３１０は、リンクマネージャー３１１、３１２及びリンクコントローラモジュール３１３、３１４と共に、ホストコントロールインターフェイスプロトコルを実施し、無線モジュール３１５及び３１６を経、種々の物理的コネクタを横切ってデータを転送する。ヘッドセットプロフィールに関する付加的な詳細は、２００１年、０７４５８ニュージャージー州、アッパー・サドル・リバーのプレンティス・ホールＰＴＲにより出版されたミュラー氏等著の論文「Bluetooth Revealed」のページ２３４−２３７に記載されている。
【００２７】
図２に戻ると、Ｉ／Ｏシステム２１７がプロセッサ２０８に接続される。Ｉ／Ｏ回路に接続されたスイッチングモジュール２１８は、図２Ａに示すように、ターミナルインターフェイス２１５のプッシュボタン２１６により作動される。このプッシュボタンは、スプリング制御され、ベースプレート２１９をコンタクト部材２１６ａに係合させる。ベースプレートは、電源２２３を備え、これは、コンタクト部材により作動されて、コンタクト電圧を測定する回路２２５と、コンタクト時間を測定する回路２２７とに電圧を供給する。回路２２９は、電圧及び時間の測定値で決定されるプッシュボタンストロークの長さに応じて、プッシュボタンイベントを発生する。電圧及び時間の測定値で決定されるストロークの長さが短いことを回路２２９が検出した場合には、ヘッドセットターミナルが通常モード即ち対にされたモードにあるか、「アイドルモード」にあるかを決定する。通常モードでは、スイッチング回路が、ヘッドセットターミナルをアイドル状態にセットするオペレーション２３３において、その対にされたヘッドセットターミナル２２０への要求メッセージを開始し、ここで、ターミナル２０１とヘッドセットターミナルとの間の接続は、通常、ＨＯＬＤモードにセットされる（上記の「Bluetooth Connect Without Cables」、ページ３０１−３０２を参照）。アイドル状態の間に、ヘッドセット２２０は、問合せ又はサーチメッセージ、及びページ又は発見メッセージを送信して、ストリーミングデータを送信するアクセスポイントとの接続を確立する一方、以下に述べるように、ターミナル２０１との非アクティブな接続を保持する。ヘッドセットターミナル２２０は、これがスレーブ装置として働く場合に、問合せメッセージを能動的に送信できることに注意されたい。
【００２８】
ヘッドセットターミナルが「アイドルモード」にあることを回路２２９が決定した場合には、オペレーション２３５において回路がアクセスポイントビーコンへの接続を終了し、そしてヘッドセットターミナルを通常モードに復帰させる。
回路２２９が電圧及び時間測定により長いプッシュボタンストロークであることを検出した場合には、オペレーション２３７において回路が現在のアクセスポイント接続を終了し、そして新たなアクセスポイントへの新たな接続を見出して形成する。
【００２９】
モジュール２１８は、更に、ヘッドセットターミナル２２０が接続されたアクセスポイントにより送信されるストリーミングデータのチャンネル間でユーザが選択を行えるように構成される。一実施形態において、アイドルボタンを何回か押して、短距離トランシーバの同調周波数を変化させ、好きなチャンネルを選択する。プロセッサ２０８に接続されたディスプレイ２１９は、ユーザが、ヘッドセットターミナル２２０、及びこのヘッドセットターミナル２２０が接続されたアクセスポイント（例えば、アクセスポイント１０６1、・・・１０６n（図１を参照）のいずれか）と対話するプロセスを見ることができるようにする。電源（図示せず）は、ターミナル要素に対する動作電圧及び電流を供給する。
【００３０】
図２に戻ると、ヘッドセット２２０は、通常、ユーザの頭にのせられ、そしてターミナル装置２０１と対にされた後にアクセスポイントにより送信されるストリーミングデータのチャンネルをサーチし、発見し、接続しそして選択するという動作を行うことができる。ヘッドセットは、短距離無線リンクを経てターミナル２０１と通信すると共に、ストリーミングデータを送信するアクセスポイント１０６と通信するためにアンテナ２２２を備えている。別の実施形態では、ヘッドセットターミナルは、独立して動作することができる。従って、アクセスポイントにもアンテナ２２２が接続される。アンテナ２２２に接続された短距離無線システム２２４は、ターミナルアンテナ２０２又はアクセスポイントからアンテナ２０２により捕獲されたデータを発見し、接続しそして受信するようにデータを処理する。Ｉ／Ｏブロック２２６は、無線システム２２４により処理されたデータを入力又はバッファする際に補助的な機能を実行する。Ｉ／Ｏモジュールは、操作時にアイドルモードを開始／終了するアイドルボタン２１６’を含むスイッチングモジュール２１８’に接続され、そしてアクセスポイントにより送信されるストリーミングデータのチャンネル間で選択を行うことができる。ある実施形態では、ヘッドセットターミナルは、専用のチャンネル選択ボタン（図示せず）も設けられる。
【００３１】
オペレーティングシステム（図示せず）の制御下にあるプロセッサ２２８は、ホスト装置又はアクセスポイントと対話するためにメモリ２３０に記憶された短距離通信プロトコルを実施する。一実施形態では、図３に示すヘッドセットプロトコル３００は、ゲートウェイ、例えば、ホスト装置又はアクセスポイントと対話するのに使用される。
【００３２】
又、プロセッサは、ヘッドセットを、対となるホスト装置（ターミナル２０１）に接続した後にアイドル状態又はモードに入れるためにソフトウェア命令２３２を実行する。これらの命令は、受動的即ち非アクティブ接続、例えば、ＨＯＬＤがホスト装置とで確立されるアイドル状態に対してホスト又はマスター装置への要求を発生する。しかしながら、ホスト装置は、特に第三者のコールがヘッドセットに対するホストにより受信されたときには、いつでもヘッドセットとの非アクティブな接続をアクチベートすることができる。アイドル状態にある間に、ヘッドセットは、対となるホスト装置２０１への非アクティブな接続を維持し続けながら、ＡＰが送信するストリーミングデータをサーチすることができる。ＡＰストリーミングビーコンが検出されると、ヘッドセットは、ホスト装置への非アクティブな接続を継続し、そしてＡＰビーコンへの接続を完了する。ＡＰからのストリーミングデータは、短距離無線システム２２４により受信され、そして良く知られたプロセスを使用してストリーミングデータをデパケット化した後にプロセッサ２２８を経てオーディオ処理増幅ユニット２３１へ通される。このオーディオユニット２３１は、パケットをオーディオ信号に組み立て、これは、ユーザへの出力としてスピーカ２３６へ供給される。上記論文「The MPEG Handbook」のページ４２−４５には、パケットからオーディオ信号を組み立てる詳細が示されている。マイクロホン２３８は、ホスト装置２２１からの入呼びに応答するためにオーディオ処理ユニット２３１に接続される。
【００３３】
図１及び２と共に図４を参照し、ヘッドセットターミナル２２０をホスト装置２２１、例えば電話と対にして、アイドル状態を確立し、ストリーミングデータに対してアクセスポイント１０６Nをサーチし、発見し又は接続し、そしてストリーミングデータのチャンネルを選択するためのメッセージ流プロセス４００を説明する。
ヘッドセットとホスト装置との間の対形成メッセージ流４０２は、ホスト装置とヘッドセットとの間に共用リンクを発生する。認証後に、ホスト装置は、マスター装置として働き、そしてヘッドセットは、スレーブ装置として働く。
【００３４】
ユーザは、「アイドル」ボタンとして示されたヘッドセットユーザインターフェイス又はホストターミナルユーザインターフェイスのボタン２１６を押し、これは、アイドル状態に対しホスト装置とヘッドセットとの間で要求メッセージ（図示せず）を通信するようにスイッチングモジュール２１８をアクチベートする。アイドル状態にあるときは、ヘッドセットとホストとの接続が受動的即ち非アクティブ、例えば、ＨＯＬＤであり、ヘッドセットは、ホストからのパケットをもはやアクティブに聴取しない。セットアイドルモードメッセージ４０４は、ホストによりヘッドセットに送信され、これは、ヘッドセットを受動的即ち非アクティブ接続状態、例えばＨＯＬＤに入れ、ヘッドセットは、問合せ走査により発見可能となり、且つページ走査によりアクセスポイントから別の装置、通常、ストリーミングデータビーコンへ接続可能となる。しかしながら、ホスト装置は、特に、ヘッドセットに対するホスト装置により入呼びが受信される場合には、ヘッドセットと対にされる接続をいつでもアクチベートすることができる。又、ホスト装置は、「アイドル」モードにある間もヘッドセットを制御できることにも注意されたい。ホスト装置のユーザは、ホスト装置のディスプレイ及び入力ボタンを含むユーザインターフェイスを使用して、ストリーミングアクセスポイントから別のチャンネルを要求するようにヘッドセットに命令することにより、チャンネル間で選択を行うことができる。
【００３５】
アイドルモード状態にある間に、ヘッドセットは、オペレーション４０６においてサービス発見プロトコルを使用してＡＰ問合せを聴取するか又はそれら問合せを実行する。ヘッドセットがスレーブ装置として働く場合には、問合せメッセージ（即ち新たな接続のサーチ）をアクティブに送信できないことに注意されたい。ブルーツースサービス発見プロトコルは、上記論文「Bluetooth Connect Without Cable」、ページ９６−２２３に記載されている。
【００３６】
ヘッドセットとアクセスポイントとの間で問合せメッセージ４０８を交換した結果としてヘッドセットがストリーミング（同期指向接続（ＳＣＯ））アクセスポイントを検出した後、例えば、アイドルボタン（２１６）を押すことにより要求ホールドメッセージ４１０が電話へ送信される。電話は、これに応答して、電話とヘッドセットとの間の対接続の受動的な非アクティブ状態を延長する。ヘッドセットとアクセスポイントとの間で接続メッセージ４１２が交換され、そして接続が確立された後に、アクセスポイントが、ＳＣＯリンクを経て、ストリーミングデータ４１４、通常、ボイスをヘッドセットへ送信する。ヘッドセットとアクセスポイントとの間の接続確立の詳細は、上記論文「Bluetooth Connect Without Cable」、ページ１５１−１７５に記載されている。或いは又、接続の詳細は、特殊なヘッドセットビーコンプロフィールと、プロセッサ２２８で実施されるソフトウェア命令２３２とを使用して自動的に取り扱われてもよい。
【００３７】
ストリーミングデータがメッセージ４１４を送信する間に、ヘッドセットは、データパケット間に電話と通信することができる。同期接続指向（ＳＣＯ）パケットの場合には、ＳＣＯリンクは、再送信を適用せず、そしてＳＣＯリンクは、約５０％の時間しか費やさない。ヘッドセットは、ＳＣＯパケット間に電話と通信する時間をもつ。或いは又、ヘッドセットは、数ミリ秒間アクセスポイントとＨＯＬＤ状態に入り、電話への接続をアクチベートするか、又はその逆も行う。
【００３８】
アクセスポイントがストリーミングデータのチャンネルを送信できる場合には、例えば、アイドルボタンを何回か押してスイッチング素子２１８、２１８’を作動し、チャンネル間でヘッドセットをスイッチングすることができる。
非アクティブな接続又はホールド状態のタイミングを合わせたインターバルが終了すると、ヘッドセットは、新たな非アクティブな状態又はホールド状態の間に要求メッセージを送信し、そしてこの時間中に、スキップ送信データメッセージ４２０をアクセスポイントへ送信することができる。新たなＨＯＬＤ状態が確立された後に、ヘッドセットは、ＡＰへの接続を再確立し、受信ストリーミングデータメッセージ４２２を開始する。
【００３９】
ヘッドセットへの入呼び４２４が受信されると、電話又はマスター装置は、ヘッドセットへの接続をアクチベートする。ホールドメッセージ４２６の新たな要求がホスト装置へ送信され、ヘッドセットがスキップ送信ボイスメッセージ４２８を送信する時間を与える。ＡＰへの接続が終了され、ストリーミングデータが終了となる。
電話は、「ホールドキャンセル」メッセージ４２８をヘッドセットへ送信し、そして上記論文「Bluetooth Connect Without Cable」、ページ２５１−２７１に記載された電話プロトコル仕様（ＴＳＣ又はＴＳＣ−ＢＩＮ）を使用して発呼者アクチベーションメッセージ４３０を交換するように進行する。
【００４０】
コールが終了すると、電話及びヘッドセットがコール終了メッセージ４３０を交換し、これは、電話及びヘッドセットを対状態に戻し、ヘッドセットが「要求ホールド」メッセージ４３４を送信して、接続メッセージ４１２’を再送信し、データメッセージ４１４’を回復できるようにする。
いつでも、ヘッドセットは、アイドルボタンを押すことによりストリーミングデータ送信を終了させ、対接続のアクティブ状態を再アクチベートし、そしてヘッドセットのアイドル状態を終了することができる。
【００４１】
別の実施形態では、ターミナルのユーザインターフェイスがホスト又は電話にある場合に、使用可能なチャンネルのリストをターミナルに表示することができ、そしてユーザは、使用可能なチャンネルをグラフィックで選択することができる。又、電話インターフェイスを使用して、ヘッドセットをビーコン聴取モードにセットすることができる。
【００４２】
別の実施形態では、ヘッドセット２２０は、ターミナル２０１を必要とせずにアクセスと対にすることができる。ヘッドセットに含まれたスイッチング装置２１８は、スピーク及び聴取モード４０８をアクチベートする。アイドルボタンを例えば一回に２秒押すことにより、ユーザは、スピーク及び聴取モードを通常のコール確立から分離することができる。
【００４３】
別の実施形態では、電話は、ＳＣＯビーコンを検出した後にアクセスポイントに接続される。アクセスポイントのコンテンツは、電話へ配送され、対接続を経てヘッドセットへ再送信される。ストリーミングデータのチャンネルのスイッチングは、電話により取り扱うことができる。
図１に戻ると、ヘッドセット／ターミナル２２０は、ユーザ又はターミナル装置が認証された後にプラットホーム１０６から個人的サービスを受けることができる。
【００４４】
一実施形態では、ヘッドセットターミナル装置は、個人的な情報をヘッドセット／ターミナルに記憶することによりサービスに対してそれ自身を「個人化」する。個人的なコンテンツは、関係者等を認証できるキーワード又は他のユーザの好みを含むことができる。プラットホームは、コンテンツを問合せ状態においてアクセスポイントへ送信する。ヘッドセット／ターミナルは、問合せを聴取しそしてそれに応答する。プラットホームサーバーは、ヘッドセット／ターミナルのアドレス及びクロック推定を使用して、そのページをヘッドセット／ターミナルへ送信する。ヘッドセット／ターミナルは、キーワードをページングコンテンツに一致させ、そして一致に基づいてスレーブ応答を入力するか、又は不一致が生じた場合には接続を拒絶する。
【００４５】
個人的情報がサービスプロバイダーに記憶される場合には、サービスプロバイダーは、適切なコンテンツがターミナルへ配送されるよう確保する役目を果たす。個人的情報がターミナルに記憶される場合には、ターミナル及びプロバイダーは、ブルーツースのＳＤＰ、Ｏｂｅｘパケット等に基づく接続形成においてこのような情報を交換しなければならない。プライベートな個人的コンテンツを配送する場合には、対形成、認証及び暗号化がコンテンツに適用された後に、正しいターミナルしかコンテンツにアクセスできない。
【００４６】
ヘッドセット／ターミナルにリアルタイムサービスを提供する別の実施形態では、システムは、以前にロードされたストリームコンテンツをローカルサーバー１０８に記憶し、そしてＡＰを経てアクティブなクライアントにコンテンツを配送する。各ＡＰは、ＡＰ＿ＩＤ（例えば、ＡＰのＭＡＣアドレス）及び適当なＡＰへの適当なコンテンツから識別することができる。又、データベースから適当なコンテンツを選択するのに、ターミナルＩＤ（例えば、ターミナルアドレス）を適用することもでき、これは、位置認識コンテンツ配送に加えて個人的コンテンツ配送を可能にする。例えば、友人へのボイスメッセージは、特定の場所（例えば、アクセスポイントｘのカバー）に記憶することができる。その友人は、メッセージが記憶された同じ場所でしかメッセージを受信しない。
【００４７】
更に別の実施形態では、アクセスポイントは、ターミナルがアクセスポイントへの接続を形成するときにローカルサーバーへイベントメッセージを送信し、或いはその逆も行う。サーバーは、イベントを処理することができ（即ち、ターミナルへストリームを送信し）、又はアプリケーションドメインへ再送信することができる。イベントメッセージは、次のエレメントで構成される。
イベントメッセージ［ターミナル識別（例えば、ＢＤ＿ＡＤＤＲ、その他）、ターミナル位置（例えば、ＡＰ＿ＩＤ）、ターミナルのストリーミングインターフェイス／オーディオ／ビデオへのＩＰ番号及びポート］
【００４８】
個人的、時間認識、位置認識、リアルタイムサービスの一例を、図２及び４と共に図５のプロセス５００を参照して説明する。
ブロック５０２では、位置サービスプラットホーム１００が美術館にインストールされる。
ブロック５０４では、アクセスポイント１０６が、訪問者に関心のある領域（例えば、有名な絵画の近傍）、及び美術館を通して訪問者を案内するためのルートポイントにインストールされる。
【００４９】
ブロック５０６では、関心の高い領域及びルートに関連した位置認識サウンドコンテンツが、ローカルサーバー１０８又はアクセスポイント１０６に記憶され、ＡＰビーコンにおいてストリーミングオーディオを放送する。
ブロック５０８では、訪問者にヘッドセット／ターミナル２００が与えられ、アイドルボタンを押して、ヘッドセット／ターミナルを、ＡＰ１０６へ自動的に接続するための発見可能／接続可能にセットする。
【００５０】
ブロック５１０において、訪問者は、関心の高い領域に入る。ヘッドセット／ターミナルは、ＡＰに自動的に接続される。ＡＰへ自動的に接続された後に、ローカルサーバーに記憶されたサウンドコンテンツがハンドセット／ターミナルにストリーミングされる。訪問者が関心の高い領域を離れるか又はアイドルボタンを押してＡＰから切断すると、サウンドコンテンツが終了する。
【００５１】
ＡＰは、クライアント装置にサービスするのに使用できる多数のチャンネルを有し、これにより、同じ情報を多数のクライアント装置に送信することができそしてクライアント装置が異なる段階で同じ情報を受信できるようなシステムが形成されることに注意されたい。これは、あるヘッドセットターミナルがＡＰカバレージエリアに入ったときに、ＡＰに接続されて、ＳＣＯ送信の受信を開始するが、他のターミナルは、その同じ送信をあるとき既に受信しているかもしれないことを意味する。
【００５２】
ブロック５１２では、ハンドセット／ターミナルが発見可能／接続可能状態にあれば、美術館の廊下にインストールされたルートＡＰにより関心の高い次の領域に訪問者が案内される。
訪問者がＡＰから切断されてヘッドセット／ターミナルを美術館に返却するまで関心の高い次の領域及び他の領域においてブロック５１０が繰り返される。
図６は、ユーザが移動状態（例えば、列車、バス、航空機）にある間にユーザにストリーミングデータ（例えば、ニュース、音楽、情報）を与えるプロセス６００を示す。
【００５３】
ブロック６０２では、ローカルサービスプラットホーム１００が、ラジオ局の放送を受信するために移動乗物内又は上にインストールされる。
ブロック６０４では、ローカルサービスプラットホームは、ラジオ放送から音楽、ニュース及び他の情報を受信し、そしてＳＣＯ特有のプロフィールを使用してユーザへのチャンネルにストリーミングデータを供給するＡＰビーコン１０６としてそのコンテンツを送信する。
【００５４】
ブロック６０６では、ヘッドセット／ターミナル２００が装備されたユーザは、アイドルボタンを操作して、ＳＣＯプロフィールを使用するプラットホームへ自動的に接続し、ストリーミングデータを受信することにより、ターミナル２００を発見可能／接続可能状態にセットする。ユーザは、アイドルボタンを操作して、ストリーミングチャンネルの中で好きなチャンネルを選択する。
【００５５】
ブロック６０８では、ユーザは、アイドルボタンを操作して、ヘッドセット／ターミナルをサービスプロバイダーと対にし、ストリーミングデータを受信してユーザに供給する。
ブロック６１０では、ユーザは、アイドルボタンを操作して、プラットホームチャンネルをスイッチングするか、又はストリーミングデータの受信を終了させる。
【００５６】
リアルタイムでの音声ストリーミング及び位置認識サービスのための短距離ターミナルを好ましい実施形態について説明したが、特許請求の範囲に規定された本発明の精神及び範囲から逸脱せずに種々の変更がなされ得ることが明らかであろう。
【図面の簡単な説明】
【００５７】
【図１】本発明の原理に基づきストリーミングボイス又は位置認識サービスを受けるためにアクセスポイントを経て位置認識ベースのサーバーにリンクされた短距離無線ヘッドセット／ターミナルを示す図である。
【図２】ホスト装置と対にされる間にストリーミングボイス又は位置認識サービスを受けるための図１の短距離ターミナル及びヘッドセット構成を示す図である。
【図２Ａ】図２のターミナル及びヘッドセットに対して「アイドルモード」を開始又は終了するためのスイッチングモジュールを示す図である。
【図３】図１のアクセスポイントと通信するための公知のヘッドセットプロフィールを示す図である。
【図４】ホスト装置と対にされてアイドルモードにある間に、ホスト装置及びアクセスポイントと対話して、ストリーミングボイス又は位置認識サービスを受ける図２のヘッドセットのメッセージの流れを示す図である。
【図５】図１のシステムにおいて位置認識サービスを受ける図２のヘッドセット設計の一実施形態を示すフローチャートである。
【図６】図１のシステムにおいて位置認識サービスを受ける図２のヘッドセット設計の別の実施形態を示すフローチャートである。
【符号の説明】
【００５８】
１００：位置認識サービスシステム
１０２：移動ターミナル
１０５：エアリンク
１０６：ローカルサービスプラットホーム
１０８：サーバー
１１０：アプリケーションサブシステム
２００：ヘッドセットターミナル
２０１：移動ターミナル
２０２：アンテナ
２０４：短距離トランシーバ
２０６：ネットワークトランシーバ
２０８：プロセッサ
２１０：メモリ
２１２：記憶装置
２２０：ヘッドセット
３００：ヘッドセットプロフィール
【図１】
2004320730.tif 000003
【図２】
2004320730.tif 000004
【図２Ａ】
2004320730.tif 000005
【図３】
2004320730.tif 000006
【図４】
2004320730.tif 000007
【図５】
2004320730.tif 000008
【図６】
2004320730.tif 000009
【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
ストリーミングデータを受信するための短距離ワイヤレス通信ターミナルにおいて、
ａ）短距離無線通信パケット構造及びリンクコントローラ状態を使用して上記ターミナルが他のターミナル及びアクセスポイントと対話できるようにする短距離無線通信プロトコルスタックと、
ｂ）上記ターミナルを「アイドル」状態にスイッチングして、ストリーミングデータソースからのストリーミングデータを受信するための接続を可能にしながら、対となる装置への非アクティブな接続を維持するスイッチング手段と、
ｃ）上記ストリーミングデータソースに接続されてそこからストリーミングデータを受信しながら、上記対となる装置への非アクティブな接続を維持する通信装置と、
を備えた短距離ワイヤレス通信ターミナル。
【請求項２】
ｄ）上記対となる装置からアクチベーション要求を受信した後にストリーミングデータを受信する上記接続を終了させる終了装置を更に備えた請求項１に記載のターミナル。
【請求項３】
ｅ）ストリーミングデータを送信するアクセスポイントへ上記ターミナルを自動的に接続するために上記短距離プロトコルに記憶されたプロフィールを更に備えた請求項１に記載のターミナル。
【請求項４】
上記スイッチング手段の動作は、データストリームチャンネル間で上記ターミナルをスイッチングする請求項１に記載のターミナル。
【請求項５】
上記スイッチング手段の動作は、ストリーミングデータを受信するための接続を終了させる上記終了装置をアクチベートする請求項１に記載のターミナル。
【請求項６】
短距離ワイヤレス通信ターミナルがストリーミングオーディオデータを受信できるようにするシステムにおいて、
ａ）短距離無線通信パケット構造及びリンクコントローラ状態を使用して上記ターミナルが他のターミナル及びアクセスポイントと対話できるようにする短距離無線通信プロトコルスタックと、
ｂ）上記アクセスポイントにリンクされたローカルサーバーシステムと、
ｃ）ストリーミングボイスインターフェイスを経て上記サーバーにリンクされたアプリケーションサブシステムと、
ｄ）上記ターミナルを、対となる装置へ接続した後に「アイドル」状態へとスイッチングするためのスイッチング装置と、
ｅ）アクティブ状態において上記ターミナルへストリーミングオーディオを配送し、そしてストリーミングオーディオを送信するアクセスポイントビーコンにリンクされた送信装置と、
ｆ）上記ターミナルから終了要求が受信されたときに上記ターミナルへのストリーミングオーディオを終了する終了装置と、
を備えたシステム。
【請求項７】
ｇ）以前にロードされたストリームコンテンツをローカルサーバーに記憶し、その後、アクセスポイントを経てアクティブなクライアントにそのコンテンツを配送する手段を更に備え、上記アクセスポイントは、それらのアドレスによって識別され、そしてストリームデータベースコンテンツは、同じアクセスポイントを有し、これにより、適切なコンテンツが適切なアクセスポイントに配送されるよう確保する請求項６に記載のシステム。
【請求項８】
ｈ）上記ローカルサーバーシステムと、アクセスポイントにストリーミングデータを供給するアプリケーションサブシステムとの間にインストールされたストリーミングインターフェイスを更に備え、上記アクセスポイントに接続されたアクティブなターミナルがある場合には、同期接続指向のリンクを経てストリームがそこに配送される請求項６に記載のシステム。
【請求項９】
ｉ）上記ターミナルが電話コールを受信したときに上記ターミナルへのストリーミングオーディオを終了させる装置を更に備えた請求項６に記載のシステム。
【請求項１０】
ｊ）ストリーミングオーディオを供給するアクセスポイントのチャンネルの中から選択を行う装置を更に備えた請求項６に記載のシステム。
【請求項１１】
ブルーツースターミナルへストリーミングオーディオを送信する方法であって、
ａ）ブルーツースプロトコルスタックを含むブルーツースターミナルを、アクティブ状態にある別のターミナルと対にし、
ｂ）上記ターミナルを「アイドル」状態にスイッチングし、
ｃ）上記ターミナルによるアクセスポイント問合せを聴取し、
ｄ）アクセスポイントによりストリーミングオーディオを送信する同期接続指向のビーコンを検出し、
ｅ）別のターミナルからＨＯＬＤを要求し、そして
ｆ）上記ブルーツースターミナルをアクセスポイントビーコンに接続して、ストリーミングオーディオを受信する、
という段階を備えた方法。
【請求項１２】
ストリーミングデータを受信するための短距離ワイヤレスヘッドセット装置において、  ａ）短距離無線通信パケット構造及びリンクコントローラ状態を使用して上記ヘッドセット装置が他のターミナル及びアクセスポイントと対話できるようにする短距離無線通信プロトコルスタックと、
ｂ）上記ヘッドセット装置を「アイドル」状態にスイッチングして、ストリーミングデータソースからのストリーミングデータを受信するための接続を可能にするスイッチング手段と、
ｃ）上記ストリーミングデータソースに接続されてそこからストリーミングデータを受信する通信装置と、
を備えた短距離ワイヤレスヘッドセット装置。
【請求項１３】
ストリーミングデータを受信するためのブルーツースヘッドセット／ターミナルシステムにおいて、
ａ）ブルーツースリンクを経てヘッドセット装置へ接続されたアンテナと、
ｂ）上記アンテナに接続された短距離トランシーバであって、ブルーツース通信パケット構造及びリンクコントローラ状態を経てターミナルが他のターミナル及びアクセスポイントと対話できるようにするブルーツースプロトコルスタックを使用する短距離トランシーバと、
ｃ）ネットワーク通信のために上記アンテナに接続されたネットワークトランシーバと、
ｄ）上記短距離トランシーバ及びネットワークトランシーバに接続されたプロセッサであって、メモリに記憶されたソフトウェアプログラムを実行し、ターミナルとヘッドセットとの間のブルーツースリンクを受動的即ち非アクティブ状態に入れて、ヘッドセットを発見可能及び接続可能にするプロセッサと、
ｅ）ユーザ入力信号に対して上記プロセッサに接続され、上記ターミナルとヘッドセットとの間の上記ブルーツースリンクをアクチベートするＩ／Ｏシステムと、
を備えたブルーツースヘッドセット／ターミナルシステム。
【請求項１４】
ｆ）上記ネットワークトランシーバを経て電話コールを受信した場合に上記ブルーツース接続をアクチベートするためのスイッチング手段と、
ｇ）上記ヘッドセット装置の受信ＳＣＯチャンネルをスイッチングする手段と、
を更に備えた請求項１３に記載のシステム。
【請求項１５】
ストリーミングデータを受信するためのヘッドセット装置において、
ａ）ターミナルと、ストリーミングデータを供給するアクセスポイントとにリンクされたアンテナ手段と、
ｂ）上記アンテナを経て上記ターミナル及びアクセスポイントに接続された短距離無線システムであって、ブルーツースパケット構造及びリンクコントローラ状態を使用して上記無線システムがターミナル及びアクセスポイントと対話できるようにするブルーツースプロトコルスタックを使用するような無線システムと、
ｃ）上記無線システムを経て上記アクセスポイントと対話し、ストリーミングデータを処理及びバッファするためのＩ／Ｏシステムと、
ｄ）上記無線システム及びＩ／Ｏシステムを制御しそしてそれらと対話するプロセッサであって、記憶されたソフトウェアプログラムを実行して、上記ヘッドセットを、それと対をなす装置との受動的即ち非アクティブ状態に入れながら、ストリーミングデータを受信し、そしてヘッドセットを発見可能及び接続可能であるようにするプロセッサと、
ｅ）上記プロセッサを経て上記Ｉ／Ｏシステムにリンクされそしてマイクロホンに応答するオーディオ処理システムであって、上記ストリーミングデータを、上記プロセッサによって処理された後に出力としてスピーカへ供給するようなオーディオ処理システムと、を備えたヘッドセット装置。
【請求項１６】
ｆ）上記Ｉ／Ｏシステムに設けられていて、上記ヘッドセットを、それと対をなす装置との受動的即ち非アクティブ状態に入れるように動作できるスイッチング手段を更に備えた請求項１５に記載のヘッドセット。
【請求項１７】
上記ヘッドセットは、位置認識コンタクト配送に加えて個人的コンタクト配送のためにデータベースから適当なストリーミングデータを選択するのに使用されるＩＤを有する請求項１５に記載のヘッドセット。
【請求項１８】
ｇ）アクセスポイントへの接続を形成又は終了するためのモードに上記ヘッドセットを自動的にセットし及び／又はアクセスポイントの異なるコンテンツチャンネル間でヘッドセットをスイッチングするための同期接続指向プロフィールを更に備えた請求項１５に記載のヘッドセット。
【請求項１９】
ｈ）データパケット間で上記ヘッドセットを、それと対にされた装置と通信できるようにする手段を更に備えた請求項１５に記載のヘッドセット。
【請求項２０】
ｉ）対にされたヘッドセットを「ビーコン聴取モード」にセットし及び／又はそのヘッドセットをアクセスポイントからの使用可能なコンテンツチャンネル間でスイッチングするためのユーザインターフェイスを含むホスト装置を更に備えた請求項１５に記載のヘッドセット。
【請求項２１】
上記ホスト装置は、マスター装置として働いて、使用可能なＡＰチャンネルのリストを与えると共に、ヘッドセットユーザが適当なＡＰコンテンツチャンネルをグラフィックで選択できるようにする請求項２０に記載のヘッドセット。
【請求項２２】
上記ホスト装置は、アクセスポイントとコンタクトを確立し、そしてアクセスポイントコンテンツを、対となるハンドセットへ配送する請求項２０に記載のヘッドセット。
【請求項２３】
上記ホスト装置は、ターミナルとアクセスポイントとのインターフェイスとして働く請求項２０に記載のヘッドセット。
【手続補正２】
【補正対象書類名】明細書
【補正対象項目名】００２３
【補正方法】変更
【補正の内容】
【００２３】
図１を参照すれば、位置認識(location aware)サービスシステム１００は、アクセスポイント１０６1、１０６2、・・・１０６n及びエアリンク１０５を経て移動ターミナル１０２へ聴取サービスを提供する。アクセスポイントは、ローカルサーバー１０８を含むローカルサービスプラットホーム１０６に接続される。サーバー１０６にはアプリケーションサブシステム１１０が接続される。ターミナル１０２に聴取サービスを提供するシステム１００の詳細は、参考としてここに取り上げる本発明の譲受人に譲渡された２００２年１２月３０日に出願された米国特許出願番号１０／３３４４４９号に開示されている。しかしながら、ターミナル１０２にストリーミングデータを供給するためには、サーバー１０８とアプリケーションサブシステム１１０との間に「ストリーミングデータ」インターフェイス（図示せず）を追加する変更が必要とされる。ストリーミングデータインターフェイスは、フォーカル・プレス、ウオブーン、マスにより出版されたジョン・ワトキンソン著の論文「The MPEG Handbook」（ＩＳＢＮ０２４０５１６５６７）、ページ３５−３８に掲載されている。このインターフェイスは、プラットホーム及びアクセスポイントを経てターミナル１０２へデジタルデータを、パケット化データの定常及び連続ストリームとして転送する。多数のストリーミング技術を利用することができる。ストリーミングは、ＴＣＰ／ＵＤＰ／ＩＰをベースとすることができる。ローカルサーバー１０８は、２つ以上のインターフェイスを備えることができる。各ストリームは、全てのＡＰに向けられるか、又は１組の以前に定義されたＡＰに向けられる。ストリームの形式は、映像又はＩＰ、ＰＣＭによるデジタルサウンド、ローカルサーバーにおいてデジタル化されたカタログボイスである。サーバーは、ヘッドセット、ハンズフリー、インターコム又はＰＡＮを含む種々のプロフィールを経てターミナル（１つ又は複数）へストリーミングデータを送信する。ストリームは、同期接続指向（ＳＣＯ）のリンクによって配送される。リアルタイムストリーム又は以前に記憶されたコンテンツ／ストリームのいずれかを特定のターミナルに直接転送することができ、ひいては、個人的なコンテンツを可能にすることができる。ＡＰは、ＡＰ内にインストールされた短距離通信モジュールの各々と共に７つの異なるストリームチャンネルをオファーすることができる。これらのチャンネルがプライベートなコンテンツを含まない場合には、ターミナルがチャンネル間でスイッチングを行うことができる。しかしながら、ターミナルは、関心のあるＡＰが送信するストリーミングデータをサーチ及び発見し、そしてホスト装置、通常、移動電話と対にされる間に、その対にされたターミナルによりコールが受信されるまで、そのＡＰに接続するようにされる。